(57)【要約】【課題】この発明は、ゴルフ練習用ゴムティーと実際にゴルフコースに出た時に使用するティー（４）との視覚・感覚の差によるミスを無くし、ティーショットを安定させるゴルフ練習マット用のティーショットの練習具に関するものである。【解決手段】天板（１ａ）の周縁に下方に向けた複数の支軸（３）を設け、天板（１ａ）は網目状の貫通穴を有し、中央の貫通穴をティー（４）の挿し込み口（２ａ）とするティーの保持具（Ａ）と、当該ティーの保持具（Ａ）の一部に繋ぎ紐（５）を設け、ティーショットした時に、ティー（４）及びティーの保持具（Ａ）が飛散しないように保持するストッパー（Ｂ）に接続自在とするゴルフティーショットの練習具。【選択図】    図  １
2005305062.tif 000002
【特許請求の範囲】
【請求項１】
天板（１ａ）の周縁に下方に向けた複数の支軸（３）を設け、天板（１ａ）は網目状の貫通穴を有し、中央の貫通穴をティー（４）の挿し込み口（２ａ）とするティーの保持具（Ａ）と、当該ティーの保持具（Ａ）の一部に繋ぎ紐（５）を設け、ティーショットした時に、ティー（４）及びティーの保持具（Ａ）が飛散しないように保持するストッパー（Ｂ）に接続自在とするゴルフティーショットの練習具。
【請求項２】
請求項１のティーの保持具が十字状の天板（１ｂ）からなっており、天板（１ｂ）の中央にティー挿し込み口（２ｂ）を設け、天板（１ｂ）の下に支軸（３）を複数設けたゴルフティーショットの練習具。
【発明の詳細な説明】
【技術分野】
【０００１】  この発明は、ゴルフ練習用ゴムティーとゴルフコースに出た時に実際に使用するティーの視覚及びアドレス感覚、打撃感覚の差を無くし、ティーショットを安定させるものである。
【背景技術】
【０００２】  従来、ゴルフ練習用のマットで使用しているティーは、実際にプレーする時に使用するティーに比較して直径が太く強い弾力性を持ち、クラブが当たった時には抵抗が大きいゴムティーである。
この為ゴムティーと実際のプレーで使用するティーを使用して、同じ高さにボールをティーアップした状態で見比べた場合、ゴムティーの方が視覚に入る高さ方向、横方向とも大きく見える。これに対し実際のプレーで使用するティーは細く、又ボールを乗せる皿状の部分の直径もゴムティーより小さいので、ティーがボールの陰になって隠されてティーが見える部分が少なくなり、その分低く感じるような錯覚を起こさせてしまう。
このゴムティーで見えた感覚で、実際のプレーで使用するティーでティーアップすると、ゴムティーで練習していた時よりも高めにティーアップする傾向となってしまう。又、同じ高さにティーアップした場合でも見た目は低く感じて違和感が生じ、安定したショットがし難くなる。
又、ゴルフの練習場で練習する場合、練習場によってはボールの供給をマットにボールの直径より大きい穴を設け、その穴の下からボールをゴムティーに乗せて設定した高さにまでゴムティーをせりあげて自動的にボールを供給する機構のものが有る。これだとボールを供給する練習マットとその下に開いている穴の部分が視野に入り、ティーの高さを視覚的に更により高く認識させるような錯覚を起こさせてしまう。
以上のような実際と視覚等の感覚の差により、ティーを練習で身につけた適正な高さより高く設定してしまう為に、適正な高さでのティーショットが出来なくなったり、高さは正しく設定してもティーアップ時の違和感が大きくなり、練習の成果が実際に活かせない。
又、ゴムティーは、実際のプレーで使用するティーよりも直径が太く強い弾力性を持ったものとなっているため、ショットしてゴムティーに当たった場合抵抗感が強く残り自然なショット感覚を得られず、余計な力が入ってしまうことがある。
又、ゴムティーの高さのサイズも数種類に限られている。
【発明の開示】
【発明が解決しようとする課題】
【０００３】  ゴルフ練習用のマットで使用するゴムティーと、実際にゴルフコースでプレーするときに使用するティーは形状が異なっているため、ゴルフコースに出てティーアップした時に、練習用のマットで使用したゴムティーの感覚と実際のプレーで使用するティーとの実際の視覚やアドレス感覚の違いで、適正な高さにティーを設定できなかったり、ティーアップ時の違和感で打ち損じたりする。
又、ゴムティーの高さのサイズが限られているため、自分の好みに合ったティーの高さを選択できないことがある。【０００４】  本発明は、上記の問題を解決するために、練習用のマットを損傷することなく実際のプレーで使用するティーを練習でも使用することにより、練習用のマットでも実際のゴルフコースでティーアップしたと同じ感覚でティーショットの練習が出来るようにし、ゴルフコースに出たときのティーの高さに対する練習場のゴムティーとの視覚的な錯覚による高さ設定ミスやティーアップ時の違和感が発生しないようにし、快適なショットが出来るようにする事を目的としたゴルフティーショットの練習具を提供するものである。
【課題を解決するための手段】
【０００５】  上記問題を解決するために、図１に示すゴルフの練習用マット（１０）上で、独立してティーを直立状態に保持出来る機能を有したティーの保持具（Ａ）と、長方形の素材の端面をＬ字形に折り曲げ底面をゴルフの練習用マット（１０）の下面に挿し込むものであってティー（４）及びティーの保持具（Ａ）が飛散しないように繋ぎとめるストッパー（Ｂ）とで構成されるゴルフの練習用マット（１０）用のティーショットの練習具。
本発明は、以上のような構成からなるプレーする時と同じティーを使え、ゴルフコースでティーアップした時と同じ感覚で練習出来るゴルフティーショットの練習具である。
【発明の効果】
【０００６】  図６に示すように、このティーショットの練習具を使用する事により、ゴルフコースでティーアップする時と同じ感覚で練習出来、ゴルフコースでティーアップする時に練習場のゴムティーとの視覚による錯覚などの感覚の違いによるプレー時の違和感を払拭出来ると共に、実際に使用するティーを使用出来ることにより自然な打球感覚を掴める。又、どのような設備の練習場に行っても、自分の好みの高さのティーで練習ができる。
又、これを使ったときは、ゴルフクラブでボールと共にゴムティーを叩いたときの抵抗感が無くなると共に自然なショット音が得られ、気分良く練習が出来る。
【実施例１】
【０００７】  以下、本発明の請求項１の実施の形態について説明する
（イ）図１、図３、図５に示す様に、練習用マット（１０）上で独立してティーを直立        状態に保持出来る構造を有したティーの保持具（Ａ）である。
（ロ）ティーの保持具（Ａ）は円盤状又は方形状の天板（１ａ）と、天板（１ａ）の周        縁に先端を細くした支軸（３）を複数垂下して設けたものである。
（ハ）天板（１ａ）は網目状体で形成され、中央の網目にティー（４）を挿入する挿し        込み口（２ａ）を有する。
（ニ）天板（１ａ）は弾力性のある素材で網目に形成されており、中央の網目にティー        （４）を挿し込んだときティー（４）の足は弾力性を持った網目でしっかりと保        持すると共に、ゴルフクラブ（１２）がティー（４）に当たった時でも衝撃を網        目全体で受けるため、天板（１ａ）の耐久性及びティーの保持具（Ａ）全体とし        ての耐久性の保持に効果的である。
（ホ）天板（１ａ）及びティー（４）にはストッパー（Ｂ）と繋ぐための飛散防止用の        繋ぎ紐（５）の端子を接続してある。
（ヘ）飛散防止用の繋ぎ紐（５）の、ストッパー（Ｂ）に繋ぐ端子には着脱を容易にす        る為のリング（６）を装着している。
（ト）ストッパー（Ｂ）は底板（７）の一端に側板（８）をＬ字状に一体形成して設け        る。側板（８）の内側に繋ぎ具（９）を設け、繋ぎ紐（５）のリング（６）を着        脱自在にする。
（チ）ティー（４）及びティーの保持具（Ａ）は、ショットしたときに飛散しないよう        に夫々飛散防止用の繋ぎ紐（５）でストッパー（Ｂ）に繋ぐ。【０００８】  本発明は以上のような構造で、本発明を使用するときは図２、図３に示すようにストッパー（Ｂ）の飛散防止用繋ぎ具（９）にティー（４）とティーの保持具（Ａ）の繋ぎ紐（５）を夫々取り付ける。また図５図６に示す如く、練習用マット（１０）の下にストッパーの底板（７）を挿し込みストッパー（Ｂ）を固定し、ティーの保持具（Ａ）の天板（１ａ）の周縁に設けた支軸（３）を練習用マット（１０）の植毛人工芝（１１）のティーアップする場所に挿し込み、天板（１ａ）のティー（４）を挿入する挿し込み口（２ａ）に自分の気に入った高さに調整したティー（４）を挿入する。
こうする事によりゴルフクラブ（１２）でショットした時にティー（４）及びティーの保持具（Ａ）が飛び出してもストッパー（Ｂ）に保持されているので飛散せず何度でも使用出来る。
【実施例２】
【０００９】  本発明の請求項２の実施例としてティーの保持具を次のように構成する事が出来る。
（イ）練習用マット上で独立してティーを直立状態に保持出来る構造を有した十字状の        ティーの保持具（Ｃ）である。
（ロ）ティーの保持具（Ｃ）は図７に示す如く天板（１ｂ）の下部又は周縁に先端を細        くした支軸（３）を複数垂下して設けたものである。
（ハ）天板（１ｂ）は、中央にティー（４）を挿入する挿し込み口（２ｂ）を有する。
（ニ）天板（１ｂ）は弾力性のある素材で形成されており、中央の挿し込み口（２ｂ）        にティー（４）を挿し込んだとき、ティー（４）の足は弾力性を持った天板の挿        し込み口（２ｂ）でしっかりと保持される。
（ホ）天板（１ｂ）及びティー（４）にはストッパー（Ｂ）と繋ぐための飛散防止用の        繋ぎ紐（５）の端子を接続している。
（ヘ）飛散防止用の繋ぎ紐（５）の、ストッパー（Ｂ）に繋ぐ端子には着脱を容易にす        る為のリング（６）を装着している。
（ト）ティー（４）及び十字状のティーの保持具（Ｃ）は、ショットしたときに飛散し        ないように夫々飛散防止用の繋ぎ紐（５）でストッパーに繋ぐ。【００１０】  本発明は以上のような構造で、本発明を使用するときは図２、図３に示すようにストッパー（Ｂ）の飛散防止用繋ぎ具（９）にティー（４）と図７ティーの保持具（Ｃ）の繋ぎ紐（５）を夫々取り付ける。また図５図６に示す如く、練習用マット（１０）の下にストッパー（Ｂ）の底板（７）を挿し込みストッパー（Ｂ）を固定し、ティーの保持具（Ｃ）の天板（１ｂ）の下部又は周縁に設けた支軸（３）を練習用マット（１０）の植毛人工芝（１１）のティーアップする場所に挿し込み、図８に示す如く自分の気に入った高さに調整したティー（４）を挿し込み口（２ｂ）に挿入する。
こうする事によりゴルフクラブ（１４）でショットした時にティー（４）及び十字状のティーの保持具（Ｃ）が飛び出してもストッパー（Ｂ）に保持されているので飛散せず何度でも使用出来る。
【図面の簡単な説明】
【００１１】
【図１】本発明の斜視図である
【図２】本発明の平面図である
【図３】本発明の使用状態を示す斜視図である
【図４】本発明の使用状態を示す平面図である
【図５】本発明の使用状態の側面断面図である
【図６】本発明の使用状態を示す斜視図である
【図７】本発明の第２実施例の斜視図である
【図８】本発明の第２実施例の使用状態を示す斜視図である
【符号の説明】
【００１２】      Ａ  ティーの保持具、
Ｂ  ストッパー
Ｃ  十字状のティーの保持具
１  天板
２  挿し込み口
３  支軸
４  ティー
５  繋ぎ紐
６  リング
７  底板
８  側板
９  繋ぎ具
１０  練習用マット
１１  植毛人工芝
１２  ゴルフクラブ
１３  ゴルフボール
【図１】
2005305062.tif 000003
【図２】
2005305062.tif 000004
【図３】
2005305062.tif 000005
【図４】
2005305062.tif 000006
【図５】
2005305062.tif 000007
【図６】
2005305062.tif 000008
【図７】
2005305062.tif 000009
【図８】
2005305062.tif 000010